(57)【要約】【課題】取外そうとする商品サンプルの両側に他の商品サンプルが近接して配置されている場合でも、商品サンプルを容易に取外すことのできる商品サンプル展示装置を提供する。【解決手段】商品サンプル１０の幅方向一端側を他端側を中心に前方に回動させると、商品サンプル１０の係止片１２が係合孔２１から外れるようにしたので、商品サンプル１０の両側に他の商品サンプル１０が近接して配置されている場合でも、他の商品サンプル１０との間に指先を挿入することなく商品サンプル１０を取外すことができ、商品サンプル１０の取外作業を極めて容易に行うことができる。【選択図】図７
2005070976.tif 000002
【特許請求の範囲】
【請求項１】
互いに幅方向に配列された複数の商品サンプルと、各商品サンプルが着脱自在に取付けられるサンプル台とを備え、各商品サンプルの下端に設けた幅方向一対の係止片をサンプル台の上面に設けた係合孔に係合することにより、商品サンプルをサンプル台に固定するようにした商品サンプル展示装置において、
前記係合孔を、商品サンプルの幅方向一端側を他端側を中心に前方所定位置まで回動させることにより少なくとも一方の係止片が係合孔から外れるように形成した
ことを特徴とする商品サンプル展示装置。
【請求項２】
前記係合孔の幅方向一端側に一方の係止片を挿通可能な切り欠きを設け、一方の係止片が切り欠きから外れるように形成した
ことを特徴とする請求項１記載の商品サンプル展示装置。
【請求項３】
互いに幅方向に配列された複数の商品サンプルと、各商品サンプルが着脱自在に取付けられるサンプル台とを備え、各商品サンプルの下端に設けた幅方向一対の係止片をサンプル台の上面に設けた係合孔に係合することにより、商品サンプルをサンプル台に固定するようにした商品サンプル展示装置において、
前記係合孔を、商品サンプルを前方所定位置まで移動させることにより少なくとも一方の係止片が係合孔から外れるように形成した
ことを特徴とする商品サンプル展示装置。
【請求項４】
前記係合孔の前端側の幅を後端側の幅よりも広く形成し、少なくとも一方の係止片が係合孔の前端側から外れるように形成した
ことを特徴とする請求項３記載の商品サンプル展示装置。
【請求項５】
前記係合孔の前端側と後端側との間に係止片に当接する突部を設けた
ことを特徴とする請求項４記載の商品サンプル展示装置。
【請求項６】
前記商品サンプルに手指を挿入可能な開口部を設けた
ことを特徴とする請求項１、２、３、４または５記載の商品サンプル展示装置。
【発明の詳細な説明】
【技術分野】
【０００１】
本発明は、紙パック入り飲料等の商品を販売する自動販売機に有用な商品サンプル展示装置に関するものである。
【背景技術】
【０００２】
従来、この種の商品サンプル展示装置としては、互いに幅方向に配列された複数の商品サンプルと、各商品サンプルを載置するサンプル台とを備え、各商品サンプルをサンプル台の上面に着脱自在に取付けるようにしたものが知られている（例えば、特許文献１参照。）。
【０００３】
また、商品サンプル展示装置として、例えば図１０に示すように商品サンプル１を紙パック入り飲料等の四角形状の商品と同等の形状に形成し、図１１に示すように商品サンプル１の下端に突設した幅方向一対の係止片１ａをサンプル台２の係合孔２ａの縁部に係合するようにしたものがある。
【０００４】
即ち、商品サンプル１を取付ける場合は、図１１(a) に示すように商品サンプル１の各係止片１ａを上方からサンプル台２の係合孔２ａに挿入すると、各係止片１ａが内側に向かって弾性変形し、爪状の先端部が係合孔２ａの縁部に係止することにより、商品サンプル１がサンプル台２に固定される。また、商品サンプル１を取外す場合には、図１１(b) の白抜き矢印に示すように商品サンプル１の下部側面を幅方向両側から指で挟んで押圧すると、各係止片１ａが内側に弾性変形し、各係止片１ａが係合孔２ａの縁部から外れ、図１１(c) に示すようにサンプル台２から商品サンプル１が取外される。
【特許文献１】特開平８−３６６６９号公報
【発明の開示】
【発明が解決しようとする課題】
【０００５】
しかしながら、前記商品サンプル展示装置では、取外そうとする商品サンプル１の両側に他の商品サンプル１が近接して配置されている場合には、他の商品サンプル１との間に指を挿入することができず、商品サンプル１を取外すことは極めて困難である。このような場合、商品サンプル１の側方の他の商品サンプル１をサンプル台２の末端から順に全て取外したり、或いは各商品サンプル１をサンプル台２ごと取外してサンプル台２の下方から各係止片１ａと係合孔２ａとの係合を解除するなど、商品サンプル１の取外作業が極めて煩雑になるという問題点があった。
【０００６】
本発明は前記問題点に鑑みてなされたものであり、その目的とするところは、取外そうとする商品サンプルの両側に他の商品サンプルが近接して配置されている場合でも、商品サンプルを容易に取外すことのできる商品サンプル展示装置を提供することにある。
【課題を解決するための手段】
【０００７】
本発明は前記目的を達成するために、請求項１では、互いに幅方向に配列された複数の商品サンプルと、各商品サンプルが着脱自在に取付けられるサンプル台とを備え、各商品サンプルの下端に設けた幅方向一対の係止片をサンプル台の上面に設けた係合孔に係合することにより、商品サンプルをサンプル台に固定するようにした商品サンプル展示装置において、前記係合孔を、商品サンプルの幅方向一端側を他端側を中心に前方所定位置まで回動させることにより少なくとも一方の係止片が係合孔から外れるように形成している。これにより、商品サンプルの幅方向一端側を他端側を中心に前方に回動させると、商品サンプルの係止片が係合孔から外れることから、商品サンプルの両側に他の商品サンプルが近接して配置されている場合でも、他の商品サンプルとの間に指先を挿入することなく商品サンプルを取外すことが可能となる。
【０００８】
また、請求項２では、請求項１記載の商品サンプル展示装置において、前記係合孔の幅方向一端側に一方の係止片を挿通可能な切り欠きを設け、一方の係止片が切り欠きから外れるように形成している。これにより、請求項１の作用に加え、一方の係止片を係合孔の切り欠きを挿通させることにより、一方の係止片が切り欠きから外れる。
【０００９】
また、請求項３では、互いに幅方向に配列された複数の商品サンプルと、各商品サンプルが着脱自在に取付けられるサンプル台とを備え、各商品サンプルの下端に設けた幅方向一対の係止片をサンプル台の上面に設けた係合孔に係合することにより、商品サンプルをサンプル台に固定するようにした商品サンプル展示装置において、前記係合孔を、商品サンプルを前方所定位置まで移動させることにより少なくとも一方の係止片が係合孔から外れるように形成している。これにより、商品サンプルを前方に移動させると、商品サンプルの係止片が係合孔から外れることから、商品サンプルの両側に他の商品サンプルが近接して配置されている場合でも、他の商品サンプルとの間に指先を挿入することなく商品サンプルを取外すことが可能となる。
【００１０】
また、請求項４では、請求項３記載の商品サンプル展示装置において、前記係合孔の前端側の幅を後端側の幅よりも広く形成し、少なくとも一方の係止片が係合孔の前端側から外れるように形成している。これにより、請求項３の作用に加え、各係止片を係合孔の前端側に移動させることにより、少なくとも一方の係止片が係合孔の前端側から外れる。
【００１１】
また、請求項５では、請求項４記載の商品サンプル展示装置において、前記係合孔の前端側と後端側との間に係止片に当接する突部を設けている。これにより、請求項５の作用に加え、突部との当接により、係合孔の後端側に位置する商品サンプルが衝撃や振動によって不用意に前方に移動することがない。
【００１２】
また、請求項６では、請求項１、２、３、４または５記載の商品サンプル展示装置において、前記商品サンプルに手指を挿入可能な開口部を設けている。これにより、請求項１、２、３、４または５の作用に加え、商品サンプルの開口部に手指を挿入することにより、商品サンプルを手指で把持しながら取外操作をすることが可能となる。
【発明の効果】
【００１３】
請求項１、２、３または４の商品サンプル展示装置によれば、商品サンプルの両側に他の商品サンプルが近接して配置されている場合でも、他の商品サンプルとの間に指先を挿入することなく商品サンプルを取外すことができるので、商品サンプルの取外作業を極めて容易に行うことができる。
【００１４】
また、請求項５の商品サンプル展示装置によれば、請求項４の効果に加え、係合孔の後端側に位置する商品サンプルが衝撃や振動によって不用意に前方に移動することがないので、商品サンプルを展示位置に確実に保持することができる。
【００１５】
また、請求項６の商品サンプル展示装置によれば、請求項１、２、３、４または５の効果に加え、商品サンプルを手指で把持しながら取外操作をすることができるので、商品サンプルの取外作業をより一層容易に行うことができる。
【発明を実施するための最良の形態】
【００１６】
図１乃至図７は本発明の一実施形態を示すもので、図１は商品サンプル展示装置の斜視図、図２は商品サンプルの斜視図、図３はその底面図、図４はその正面図、図５は商品サンプルの下部及びサンプル台を示す正面図、図６はサンプル台の部分平面図、図７は商品サンプルの取外動作を示す平面図である。
【００１７】
この商品サンプル展示装置は、互いに幅方向に配列される複数の商品サンプル１０と、各商品サンプル１０を載置するサンプル台２０とから構成され、商品サンプル展示装置は図示しない自動販売機の外扉に設けられている。尚、図示していないが外扉には前面を透明板によって覆われた商品サンプル室が設けられており、商品サンプル展示装置は商品サンプル室内に配置される。
【００１８】
各商品サンプル１０は、紙パック入り飲料等の四角形状の商品と同等の形状を有し、背面を開口した透明の箱状に形成されている。即ち、商品サンプル１０内には、表面に商品の図柄等（図示せず）が印刷されたフィルム１１が背面側から装着されるようになっている。商品サンプル１０の下端にはサンプル台２に係合する幅方向一対の係止片１２が設けられ、各係止片１２は商品サンプル１０の下面中央に設けられた下部切り欠き１０ａの両側に配置されている。各係止片１２は先端に爪状の突起１２ａを有し、各突起１２ａは商品サンプル１０の外側に向かって突出するように形成されている。また、商品サンプル１０の上面には上部切り欠き１０ｂが設けられ、上部切り欠き１０ｂは手指を挿入可能な開口部をなす。
【００１９】
サンプル台２０は幅方向に延びる板状の部材からなり、商品サンプル室内の背面板３０の前面に固定されている。サンプル台２０の上面には商品サンプル１０を係合する複数の係合孔２１が設けられ、各係合孔２１は互いに幅方向に間隔をおいて配置されている。係合孔２１は横長に形成され、その前後方向の寸法Ａ1 は各係止片１２の前後方向の寸法Ｂ1 よりも大きく形成されている。また、係合孔２１の前端側の幅Ａ2 は後端側の幅Ａ3 よりも狭く形成され、後端側の幅Ａ3 は各係止片１２の間隔Ｂ2 よりも大きく、各突起１２ａの間隔Ｂ3 よりも小さく形成されている。また、係合孔２１の幅方向一側端には商品サンプル１０の一方の係止片１２を上下方向に挿通可能な切り欠き２１ａが設けられ、切り欠き２１ａは係合孔２１の後端から距離Ａ4 だけ前方に形成されている。
【００２０】
以上のように構成された商品サンプル展示装置において、商品サンプル１０を取付ける場合は、図５に示すように商品サンプル１０の各係止片１２をサンプル台２０の係合孔２１に上方から挿入すると、各係止片１２が係合孔２１の幅方向両端に当接しながら内側に向かって弾性変形するとともに、図７(a) に示すように各係止片１２の突起１２ａが係合孔２１の幅方向両側端の縁部に係止し、商品サンプル１０がサンプル台２０に固定される。
【００２１】
また、商品サンプル１０を取外す場合には、図７(b) に示すように商品サンプル１０の幅方向一端側を他端側を中心に前方に回動させるとともに、幅方向一端側の係止片１２を係合孔２１の切り欠き２１ａ内に位置させ、幅方向一端側の係止片１２を切り欠き２１ａから外して他端側の係止片１２を係合孔２１から外すことにより、商品サンプル１０がサンプル台２０から取外される。
【００２２】
このように、本実施形態の商品サンプル展示装置によれば、商品サンプル１０の幅方向一端側を他端側を中心に前方に回動させると、商品サンプル１０の係止片１２が係合孔２１から外れるようにしたので、商品サンプル１０の両側に他の商品サンプル１０が近接して配置されている場合でも、他の商品サンプル１０との間に指先を挿入することなく商品サンプル１０を取外すことができ、商品サンプル１０の取外作業を極めて容易に行うことができる。
【００２３】
また、商品サンプル１０の上面に手指を挿入可能な上部切り欠き１０ｂを設けたので、上部切り欠き１０ｂに手先を挿入することにより、商品サンプル１０を手指で把持しながら回動操作することができ、商品サンプル１０の取外作業をより一層容易に行うことができる。
【００２４】
尚、前記実施形態では、開口部としての上部切り欠き１０ｂを商品サンプル１０の上面に設けたものを示したが、例えば商品サンプル１０の前面に孔を設けるなど、開口部を他の位置に設けるようにしてもよい。
【００２５】
図８及び図９は本発明の他の実施形態を示すもので、前記実施形態とはサンプル台２０の係合孔の形状が異なる。即ち、図８はサンプル台の部分平面図、図９は商品サンプルの取外動作を示す平面図であり、同図に示す構成以外の部分は前記実施形態と同様である。
【００２６】
即ち、同図に示す係合孔２２は横長に形成され、その前後方向の寸法Ｃ1 は各係止片１２の前後方向の寸法Ｂ1 よりも大きく形成されている。また、係合孔２２の前端側の幅Ｃ2 は後端側の幅Ｃ3 よりも広く形成され、後端側の幅Ｃ3 は各係止片１２の間隔Ｂ2 よりも大きく、各突起１２ａの間隔Ｂ3 よりも小さく形成されている。また、係合孔２２の幅方向両端には、前端側と後端側との間に位置する突部２２ａが幅方向内側に突出するように設けられ、各突部２２ａの間隔Ｃ4 は各係止片１２の間隔Ｂ2 よりもやや小さく形成されている。
【００２７】
以上の構成において、商品サンプル１０を取付ける場合は、前記実施形態と同様、商品サンプル１０の各係止片１２を係合孔２２の後端側に上方から挿入すると、図９(a) に示すように各係止片１２の突起１２ａが係合孔２１の幅方向両側端の縁部に係止し、商品サンプル１０がサンプル台２０に固定される。
【００２８】
また、商品サンプル１０を取外す場合には、図９(b) に示すように商品サンプル１０を各係止片１２が各突部２２ａを乗り越えるように前方に移動させるとともに、各係止片１２を係合孔２１の前端側に位置させ、各係合孔２１から外すことにより、商品サンプル１０がサンプル台２０から取外される。
【００２９】
このように、本実施形態によれば、商品サンプル１０を前方に移動させると、商品サンプル１０の係止片１２が係合孔２１から外れるようにしたので、前記実施形態と同様、商品サンプル１０の両側に他の商品サンプル１０が近接して配置されている場合でも、他の商品サンプル１０との間に指先を挿入することなく商品サンプル１０を取外すことができ、商品サンプル１０の取外作業を極めて容易に行うことができる。
【００３０】
この場合、係合孔２２の前端側と後端側との間に各係止片１２に当接する突部２２ａを設けたので、各突部２２ａとの当接により、係合孔２２の後端側に位置する商品サンプル１０が衝撃や振動によって不用意に前方に移動することがなく、商品サンプル１０を展示位置に確実に保持することができる。
【００３１】
また、商品サンプル１０の上面に手指を挿入可能な上部切り欠き１０ｂを設けたので、上部切り欠き１０ｂに手先を挿入することにより、商品サンプル１０を手指で把持しながら前方に移動操作することができ、商品サンプル１０の取外作業をより一層容易に行うことができる。
【図面の簡単な説明】
【００３２】
【図１】本発明の一実施形態を示す商品サンプル展示装置の斜視図
【図２】商品サンプルの斜視図
【図３】商品サンプルの底面図
【図４】商品サンプルの正面図
【図５】商品サンプルの下部及びサンプル台を示す正面図
【図６】サンプル台の部分平面図
【図７】商品サンプルの取外動作を示す平面図
【図８】本発明の他の実施形態を示すサンプル台の部分平面図
【図９】商品サンプルの取外動作を示す平面図
【図１０】従来例を示す商品サンプル展示装置の斜視図
【図１１】商品サンプルの着脱動作を示す正面図
【符号の説明】
【００３３】
１０…商品サンプル、１０ｂ…上部切り欠き、１２…係止片、２０…サンプル台、２１…係合孔、２１ａ…切り欠き、２２…係合孔、２２ａ…突部。
【図１】
2005070976.tif 000003
【図２】
2005070976.tif 000004
【図３】
2005070976.tif 000005
【図４】
2005070976.tif 000006
【図５】
2005070976.tif 000007
【図６】
2005070976.tif 000008
【図７】
2005070976.tif 000009
【図８】
2005070976.tif 000010
【図９】
2005070976.tif 000011
【図１０】
2005070976.tif 000012
【図１１】
2005070976.tif 000013